(57)【要約】【課題】本発明は、水平移動されるドアパネルの外力による外れを、簡単な構成により防止することができるエレベータのドア装置を得ることを目的とするものである。【解決手段】敷居溝１０ａ内の一方の側壁には、係合溝１０ｂが設けられている。ドアパネル４の下端部には、係合溝１０ｂに係合してドアパネル４の上方への移動を規制する断面Ｌ字形の掛け金具１３が取り付けられている。掛け金具１３は、垂直な取付部１３ａと、取付部１３ａの下端部を直角に折り曲げてなる係合部１３ｂとを有している。係合部１３ｂは、取付部１３ａから水平に突出して係合溝１０ｂ内に挿入されている。【選択図】図４
2010241556.tif 000002
【特許請求の範囲】
【請求項１】
水平移動されて出入口を開閉するドアパネル、
前記ドアパネルの下端部に取り付けられたガイド体、及び
前記ガイド体が挿入される敷居溝が上面に設けられており、前記出入口の床部に設置されている敷居
を備え、
前記敷居溝内の側壁には、係合溝が設けられており、
前記ドアパネルの下端部には、前記係合溝に係合して前記ドアパネルの上方への移動を規制する掛け金具が取り付けられており、
前記掛け金具は、前記ドアパネルに取り付けられ前記敷居溝内に挿入された取付部と、前記取付部から水平に突出して前記係合溝内に挿入された係合部とを有していることを特徴とするエレベータのドア装置。
【請求項２】
前記ガイド体は、前記ドアパネルに取り付けられたガイド取付金具と、前記ガイド取付金具に固定され前記敷居溝内に挿入されたガイドシューとを有しており、
前記掛け金具は、前記ガイド取付金具とは別に、前記ガイド取付金具に対して前記ドアパネルの幅方向に並べて前記ドアパネルに取り付けられていることを特徴とする請求項１記載のエレベータのドア装置。
【請求項３】
前記ガイド体は、前記ドアパネルに取り付けられ前記掛け金具を兼ねるガイド取付金具と、前記ガイド取付金具に固定され前記敷居溝内に挿入されたガイドシューとを有しており、
前記係合部は、前記ガイドシューの側面から水平に突出して前記係合溝内に挿入されていることを特徴とする請求項１記載のエレベータのドア装置。
【請求項４】
前記ガイド体は、前記ドアパネルに取り付けられ前記掛け金具を兼ねるガイド取付金具と、前記ガイド取付金具に固定され前記敷居溝内に挿入されたガイドシューとを有しており、
前記取付部の下端部は、前記ガイドシューの下部から下方へ突出しており、
前記係合部は、前記取付部の下端部に設けられていることを特徴とする請求項１記載のエレベータのドア装置。
【請求項５】
水平移動されて出入口を開閉するドアパネル、
前記ドアパネルの下端部に取り付けられたガイド体、及び
前記ガイド体が挿入される敷居溝が上面に設けられており、前記出入口の床部に設置されている敷居
を備え、
前記敷居の上面には、前記敷居溝に平行な外れ止め溝が設けられており、
前記外れ止め溝の側壁には、係合溝が設けられており、
前記ドアパネルの下端部には、前記係合溝に係合して前記ドアパネルの上方への移動を規制する掛け金具が取り付けられており、
前記掛け金具は、前記ドアパネルに取り付けられ前記外れ止め溝内に挿入された取付部と、前記取付部から水平に突出して前記係合溝内に挿入された係合部とを有していることを特徴とするエレベータのドア装置。
【請求項６】
前記係合溝内の上面には、前記上部溝が設けられており、
前記掛け金具は、前記係合部から上方へ突出して前記上部溝に挿入された折り返し部をさらに有していることを特徴とする請求項１から請求項５までのいずれか１項に記載のエレベータのドア装置。
【発明の詳細な説明】
【技術分野】
【０００１】
この発明は、水平移動されるドアパネルを有するエレベータのドア装置に関するものである。
【背景技術】
【０００２】
従来のエレベータのドア装置では、上ドア及び下ドアが上下方向に移動されることにより、出入口が開閉される。上ドア及び下ドアは、出入口の両側に設けられたドアレールに沿って移動される。また、出入口の両側には、断面コ字形の受け金具が取り付けられており、下ドアの幅方向両端部には、先端部が受け金具内に挿入された階段状の掛け金具が取り付けられている。そして、乗場側からの外力により下ドアが変形した場合、掛け金具が受け金具に係合することにより下ドアの外れが防止される（例えば、特許文献１参照）。
【先行技術文献】
【特許文献】
【０００３】
【特許文献１】特開昭６１−６９６８２号公報
【発明の概要】
【発明が解決しようとする課題】
【０００４】
上記のような従来のエレベータのドア装置は、駐車場等に多く用いられる上下開き式のドア装置であり、乗用エレベータに適用される水平開き式のドア装置では、ドアパネルの戸袋側端部に掛け金具を配置することが構成上困難である。また、上下開き式と水平開き式とでは出入口の縦横比が異なり、水平開き式のドア装置では、一般的に縦長のドアパネルが用いられているため、掛け金具を縦方向に配置するには材料が多く必要である。このため、従来の水平開き式のドア装置では、いたずら等によりドアパネルに加えられる過大な衝撃力に対して、ドアパネルの剛性を高めることで変形や外れを防いでいる。しかし、ドアパネルへの補強追加は、製作コストの増大を招いてしまう。
【０００５】
この発明は、上記のような課題を解決するためになされたものであり、水平移動されるドアパネルの外力による外れを、簡単な構成により防止することができるエレベータのドア装置を得ることを目的とする。
【課題を解決するための手段】
【０００６】
この発明に係るエレベータのドア装置は、水平移動されて出入口を開閉するドアパネル、ドアパネルの下端部に取り付けられたガイド体、及びガイド体が挿入される敷居溝が上面に設けられており、出入口の床部に設置されている敷居を備え、敷居溝内の側壁には、係合溝が設けられており、ドアパネルの下端部には、係合溝に係合してドアパネルの上方への移動を規制する掛け金具が取り付けられており、掛け金具は、ドアパネルに取り付けられ敷居溝内に挿入された取付部と、取付部から水平に突出して係合溝内に挿入された係合部とを有している。
【発明の効果】
【０００７】
この発明のエレベータのドア装置は、敷居溝内の側壁に係合溝を設け、係合溝内に挿入された係合部を有しドアパネルの上方への移動を規制する掛け金具をドアパネルの下端部に取り付けたので、万一いたずら等により、過大な力がドアパネルに加わったとしても、ドアパネルの上方へ移動が物理的に規制され、従って、ドアパネルの外力による外れを、簡単な構成により防止することができる。
【図面の簡単な説明】
【０００８】
【図１】この発明の実施の形態１によるエレベータのドア装置を示す正面図である。
【図２】図１のドア装置を示す側面図である。
【図３】図１のドアパネルの下端部を拡大して示す正面図である。
【図４】図３のＩＶ−ＩＶ線に沿う断面図である。
【図５】この発明の実施の形態２によるエレベータのドア装置の要部断面図である。
【図６】この発明の実施の形態３によるエレベータのドア装置の要部断面図である。
【図７】図６のガイド体を示す斜視図である。
【図８】この発明の実施の形態４によるエレベータのドア装置の要部断面図である。
【図９】図８のガイド体を示す斜視図である。
【図１０】この発明の実施の形態５によるエレベータのドア装置の要部断面図である。
【発明を実施するための形態】
【０００９】
以下、この発明を実施するための形態について、図面を参照して説明する。
実施の形態１．
図１はこの発明の実施の形態１によるエレベータのドア装置を示す正面図であり、乗場ドア装置を昇降路側から見た図である。また、図２は図１のドア装置を示す側面図である。乗場出入口の上方には、ハンガケース１が固定されている。ハンガケース１には、ハンガレール２が設けられている。ハンガレール２には、一対のドアハンガ３を介して一対のドアパネル４が吊り下げられている。乗場出入口は、ドアパネル４により開閉される。
【００１０】
ドアハンガ３は、ドアパネル４の上端部に固定されている。各ドアハンガ３には、ハンガレール２に沿って転動される複数のハンガローラ５が設けられている。
【００１１】
ハンガケース１の長手方向の一端部近傍には、連動プーリ６が設けられ、ハンガケース１の長手方向の他端部近傍には、連動プーリ７が設けられている。連動プーリ６及び連動プーリ７間には、ロープ８が巻かれている。ロープ８の下側部分は、一方のドアハンガ３に接続されている。ロープ８の上側部分は、他方のドアハンガ３に接続されている。
【００１２】
各ドアパネル４の下端部には、一対のガイド体（戸の脚）９が取り付けられている。乗場出入口の床部には、敷居１０が設置されている。敷居１０の上面には、ガイド体９が挿入された敷居溝１０ａが設けられている。敷居溝１０ａは、敷居１０の長手方向の全体に渡って設けられている。ガイド体９は、ドアパネル４の開閉動作時に敷居溝１０ａ内を移動される。これにより、ドアパネル４の下端部がドアパネル４の厚さ方向に振れるのが防止される。
【００１３】
図３は図１のドアパネル４の下端部を拡大して示す正面図、図４は図３のＩＶ−ＩＶ線に沿う断面図である。図において、各ガイド体９は、上端部がドアパネル４に取り付けられた平板状のガイド取付金具１１と、ガイド取付金具１１の下端部に固定され敷居溝１０ａ内に挿入された直方体（ブロック状）のガイドシュー１２とを有している。
【００１４】
敷居溝１０ａ内の一方の側壁の上下方向中間部には、係合溝１０ｂが設けられている。係合溝１０ｂは、敷居溝１０ａの全長に渡って設けられている。ドアパネル４の下端部には、係合溝１０ｂに係合してドアパネル４の上方への移動を規制する断面Ｌ字形の掛け金具１３が取り付けられている。
【００１５】
掛け金具１３は、垂直な取付部１３ａと、取付部１３ａの下端部を直角に折り曲げてなる係合部１３ｂとを有している。取付部１３ａの上端部は、ドアパネル４に取り付けられている。取付部１３ａの下端部は、敷居溝１０ａ内に挿入されている。係合部１３ｂは、取付部１３ａの下端部から水平に突出して係合溝１０ｂ内に挿入されている。また、係合部１３ｂは、ドアパネル４の開閉動作時に係合溝１０ｂ内を移動される。
【００１６】
掛け金具１３は、ガイド取付金具１１とは別に、ガイド取付金具１１に対してドアパネル４の幅方向に並べてドアパネル４に取り付けられている。この例では、ガイド体９がドアパネル４の幅方向に互いに間隔をおいて配置されており、これらのガイド体９間に掛け金具１３が配置されている。また、ガイド体９及び掛け金具１３は、ドアパネル４の下端部に固定された共通の取付座１４に複数のボルトで固定されている。
【００１７】
このようなエレベータのドア装置では、敷居溝１０ａ内の側壁に係合溝１０ｂを設け、係合溝１０ｂ内に挿入された係合部１３ｂを有しドアパネル４の上方への移動を規制する掛け金具１３をドアパネル４の下端部に取り付けたので、万一いたずら等により、過大な力がドアパネル４に加わったとしても、ドアパネル４の上方へ移動が物理的に規制され、ドアパネル４の変形（屈曲）を抑えることができる。従って、ドアパネル４の外力による外れを、簡単な構成により防止することができる。
【００１８】
なお、実施の形態１では、ドアパネル４の幅方向の中央部に掛け金具１３を配置したが、掛け金具１３の位置はこれに限定されるものではなく、例えばドアパネル４の幅方向の端部近傍に配置してもよい。
また、掛け金具１３を複数の金具に分割し、分割された金具をドアパネル４の幅方向に互いに間隔をおいて配置してもよい。
【００１９】
実施の形態２．
次に、図５はこの発明の実施の形態２によるエレベータのドア装置の要部断面図である。図において、係合溝１０ｂは、敷居溝１０ａ内の側壁の下端部に設けられている。係合溝１０ｂ内の上面（天井面）には、上部溝１０ｃが設けられている。
【００２０】
掛け金具１３の係合部１３ｂの先端部には、上方へ向けて直角に折り曲げられてなる折り返し部１３ｃが設けられている。折り返し部１３ｃは、係合部１３ｂの先端部から上方へ突出して上部溝１０ｃに挿入されている。また、折り返し部１３ｃは、ドアパネル４の開閉動作時に上部溝１０ｃ内を移動される。他の構成は、実施の形態１と同様である。
【００２１】
このようなエレベータのドア装置では、係合溝１０ｂに上部溝１０ｃを設け、掛け金具１３に折り返し部１３ｃを設けたので、ドアパネル４の外力による外れをより確実に防止することができる。
【００２２】
実施の形態３．
次に、図６はこの発明の実施の形態３によるエレベータのドア装置の要部断面図、図７は図６のガイド体を示す斜視図である。図において、ガイド体１５は、ドアパネル４に取り付けられ掛け金具を兼ねる断面Ｌ字形のガイド取付金具１６と、ガイド取付金具１６に固定され敷居溝１０ａ内に挿入されたガイドシュー１２とを有している。
【００２３】
ガイド取付金具１６は、垂直な取付部１６ａと、取付部１６ａの下端部を直角に折り曲げてなる係合部１６ｂとを有している。取付部１６ａの上端部は、ドアパネル４に取り付けられている。取付部１３ａの下端部は、ガイドシュー１２内に埋設されている。係合部１６ｂは、ガイドシュー１２の側面から水平に突出して係合溝１０ｂ内に挿入されている。他の構成は、実施の形態１と同様である。
【００２４】
このようなエレベータのドア装置では、ガイド取付金具１６が掛け金具を兼ねているので、部品点数の増加を抑えつつ、ドアパネル４の外力による外れを防止することができる。
【００２５】
実施の形態４．
次に、図８はこの発明の実施の形態４によるエレベータのドア装置の要部断面図、図９は図８のガイド体を示す斜視図である。図において、ガイド体１７は、ドアパネル４に取り付けられ掛け金具を兼ねる断面Ｌ字形のガイド取付金具１８と、ガイド取付金具１８に固定され敷居溝１０ａ内に挿入されたガイドシュー１２とを有している。
【００２６】
係合溝１０ｂは、敷居溝１０ａ内の側壁の下端部に設けられている。ガイド取付金具１８は、垂直な取付部１８ａと、取付部１８ａの下端部を直角に折り曲げてなる係合部１８ｂとを有している。取付部１８ａの上端部は、ドアパネル４に取り付けられている。取付部１８ａの下端部は、ガイドシュー１２の下部から下方へ突出している。係合部１８ｂは、取付部１８ａの下端部から水平に突出して係合溝１０ｂ内に挿入されている。他の構成は、実施の形態１と同様である。
【００２７】
このようなエレベータのドア装置では、ガイド取付金具１８が掛け金具を兼ねているので、部品点数の増加を抑えつつ、ドアパネル４の外力による外れを防止することができる。
【００２８】
なお、実施の形態３、４で示したようにガイド取付金具１６，１８が掛け金具を兼ねる場合、実施の形態１で示したような掛け金具１３をガイド取付金具１６，１８とは別に設けてもよく、ドアパネル４の外力による外れをより確実に防止することができる。
【００２９】
実施の形態５．
次に、図１０はこの発明の実施の形態５によるエレベータのドア装置の要部断面図である。敷居１０の上面には、敷居溝１０ａに平行な外れ止め溝１０ｄが敷居溝１０ａに並べて設けられている。外れ止め溝１０ｄの側壁には、係合溝１０ｅが設けられている。外れ止め溝１０ｄ及び係合溝１０ｅは、敷居１０の全長に渡って設けられている。
【００３０】
ドアパネル４の下端部には、係合溝１０ｅに係合してドアパネル４の上方への移動を規制する掛け金具１９が取り付けられている。
【００３１】
掛け金具１９は、階段状の取付部１９ａと、取付部１９ａの下端部を直角に折り曲げてなる係合部１９ｂとを有している。取付部１９ａの上端部は、ドアパネル４に取り付けられている。取付部１９ａの下端部は、外れ止め溝１０ｄ内に挿入されている。係合部１９ｂは、取付部１９ａから水平に突出して係合溝１０ｅ内に挿入されている。また、係合部１９ｂは、ドアパネル４の開閉動作時に係合溝１０ｅ内を移動される。
【００３２】
掛け金具１９は、ガイド取付金具１１とは別に、ガイド取付金具１１に対してドアパネル４の幅方向に並べてドアパネル４に取り付けられている。この例では、ガイド体９がドアパネル４の幅方向に互いに間隔をおいて配置されており、これらのガイド体９間に掛け金具１９が配置されている。また、ガイド体９及び掛け金具１９は、ドアパネル４の下端部に固定された共通の取付座１４に複数のボルトで固定されている。
【００３３】
このようなエレベータのドア装置では、敷居１０に外れ止め溝１０ｄを設け、外れ止め溝１０ｄ内の側壁に係合溝１０ｅを設け、係合溝１０ｅ内に挿入された係合部１９ｂを有しドアパネル４の上方への移動を規制する掛け金具１９をドアパネル４の下端部に取り付けたので、万一いたずら等により、過大な力がドアパネル４に加わったとしても、ドアパネル４の上方へ移動が物理的に規制され、ドアパネル４の変形（屈曲）を抑えることができる。従って、水平移動されるドアパネル４の外力による外れを、簡単な構成により防止することができる。
【００３４】
なお、実施の形態５の掛け金具１９の取付位置はドアパネル４の幅方向中央部に限定されず、掛け金具１９の個数も特に限定されない。
また、実施の形態３〜５の構成において、実施の形態２に示したような上部溝及び折り返し部を設けてもよい。
さらに、敷居１０を係合溝１０ｂ，１０ｅの上下で分割可能としてもよく、係合溝１０ｂ，１０ｅ内への係合部１３ｂ，１６ｂ，１８ｂ，１９ｂの挿入を容易にして、据付性を向上させることができる。
さらにまた、実施の形態１〜５では乗場ドア装置を示したが、この発明はかごドア装置にも適用できる。
【符号の説明】
【００３５】
４  ドアパネル、９  ガイド体、１０  敷居、１０ａ  敷居溝、１０ｂ  係合溝、１０ｃ  上部溝、１０ｄ  外れ止め溝、１０ｅ  係合溝、１１  ガイド取付金具、１２  ガイドシュー、１３  掛け金具、１３ａ  取付部、１３ｂ  係合部、１５  ガイド体、１６  ガイド取付金具（掛け金具）、１６ａ  取付部、１６ｂ  係合部、１７  ガイド体、１８  ガイド取付金具（掛け金具）、１８ａ  取付部、１８ｂ  係合部、１９  掛け金具、１９ａ  取付部、１９ｂ  係合部。
【図１】
2010241556.tif 000003
【図２】
2010241556.tif 000004
【図３】
2010241556.tif 000005
【図４】
2010241556.tif 000006
【図５】
2010241556.tif 000007
【図６】
2010241556.tif 000008
【図７】
2010241556.tif 000009
【図８】
2010241556.tif 000010
【図９】
2010241556.tif 000011
【図１０】
2010241556.tif 000012